(57)【要約】【課題】装着後に造花の向きなどを調整して支持することのできる花支持具の提供を目的とする。【解決手段】弾性材料により形成され、造花または生花１の茎部１ａが挿入される茎部挿入孔２が穿孔されるとともに、圧迫用孔３が穿孔される支持具本体４と、  前記圧迫用孔３の内径Ｄ１よりも大径に形成されて該圧迫用孔３への圧入により支持具本体４を弾性変形させ、茎部挿入孔２を圧迫して該茎部挿入孔２に挿入された茎部１ａを拘束する圧迫部材５とを有して花支持具Ａを構成する。【選択図】図３
2009268636.tif 000002
【特許請求の範囲】
【請求項１】
弾性材料により形成され、造花または生花の茎部が挿入される茎部挿入孔が穿孔されるとともに、圧迫用孔が穿孔される支持具本体と、
前記圧迫用孔の内径よりも大径に形成されて該圧迫用孔への圧入により支持具本体を弾性変形させ、茎部挿入孔を圧迫して該茎部挿入孔に挿入された茎部を拘束する圧迫部材とを有する花支持具。
【請求項２】
弾性材料により形成された支持具本体に穿孔されるひとまわり小さな寸法からなる圧迫用孔への圧入によって前記支持具本体を弾性変形させ、該支持具本体に別途穿孔されて生花または造花の茎部が挿入される茎部挿入孔を圧迫する圧迫部を備え、
該圧迫部を造花の茎部の基端部に形成した花支持具の圧迫部材。
【請求項３】
請求項１記載の花支持具の支持具本体に造花または生花の複数本を圧迫部材による茎部挿入孔内での茎部の拘束により向きを揃えて保持させた花束。
【請求項４】
短軸方向寸法が造花または生花の茎部の直径と同じ程度で、該茎部の挿入により長軸方向に砂利、接着剤、または粘土を充填する空隙が形成されるほぼ楕円断面形状からなる茎部挿入部が形成された花支持具。
【発明の詳細な説明】
【技術分野】
【０００１】
本発明は花支持具に関するものである。
【背景技術】
【０００２】
造花や生花を支持する花支持具としては、従来、例えば特許文献１に記載されたものが知られている。この従来例において花支持具はゴム等からなり、円筒状の本体の上部から漏斗状の係止体を延設して形成される。上記本体には向きを整えて束ねられた造花の軸体が圧入により挿嵌され、この後、接着剤などが流入等されて固定される。また、上記係止体は花立ての内径より大径に形成され、これにより花立てに押し込まれた花支持具がくさび状に固定される。
【０００３】
さらにまた上記従来例には、上記本体に支持させる造花として以上のように束ねられたものを用いる場合のほか、一本ごとのものを用いる変形例も開示されている。この変形例において、上記本体には多数個の取付孔が散在し、各取付孔には造花の軸体が一本毎に特に圧入されることなく挿入され、周囲を接着剤等で満たされて固定される。
【特許文献１】特開２００４-６５２７５号公報
【発明の開示】
【発明が解決しようとする課題】
【０００４】
しかしながら、上記従来例のように、例えば造花を花支持具に対して単に圧入させてしまうと、以後、回転させてその向きなどを調整するということが一切できなくなってしまうという欠点がある。
【０００５】
一方、このように単に圧入させた場合には、上述したように接着剤等によって造花の支持強度を補強したいときに造花と花支持具との間に接着剤等の充填のためのスペースがあまり十分に確保できないことから、補強を十分に行うこともできなくなってしまう。これに対し、反対に造花を花支持具に対して単に遊挿、すなわち造花の周囲に単に接着剤等の充填スペースを設定してしまうと、そもそも接着剤等によらなければ造花を所望の姿勢に良好に保持することができなくなってしまう上に、支持に際しては、接着剤等が固化するまで手で持つなどして造花の姿勢を維持し続けしなければならなくなってしまう。
【０００６】
本発明は上述の欠点を解消すべくなされたものであって、装着後に造花の向きなどを調整して支持することのできる花支持具の提供を目的とする。また、本発明はこのような花支持具に用いられる圧迫部材、および、このような花支持具を利用した花束の提供を目的とする。
【０００７】
さらに、本発明の他の目的は、造花の向きを所望の姿勢に適宜保持して装着後に調整することも可能で、特に接着剤等を活用した事後的な支持強度の補強に適した花保持具の提供にもある。  
【課題を解決するための手段】
【０００８】
本発明によれば上記目的は、
弾性材料により形成され、造花または生花１の茎部１ａが挿入される茎部挿入孔２が穿孔されるとともに、圧迫用孔３が穿孔される支持具本体４と、
前記圧迫用孔３の内径Ｄ１よりも大径に形成されて該圧迫用孔３への圧入により支持具本体４を弾性変形させ、茎部挿入孔２を圧迫して該茎部挿入孔２に挿入された茎部１ａを拘束する圧迫部材５とを有する花支持具を提供することにより達成される。
【０００９】
弾性材料により形成される支持具本体４には茎部挿入孔２に加えて圧迫用孔３が穿孔される。茎部挿入孔２に挿入された造花や生花１の茎や枝などとしての茎部１ａは、圧迫用孔３への圧迫部材５の圧入により支持具本体４が弾性変形し、これにより茎部挿入孔２が圧迫されることで拘束される。
【００１０】
したがって圧迫部材５を圧迫用孔３に圧入する前、すなわち圧迫される前の茎部挿入孔２内で茎部１ａを回転させるなどして造花等１の向きなどを調整することができ、この後、圧迫部材５を圧迫用孔３に圧入することで造花等１を調整後の姿勢で拘束することができる。
【００１１】
上記圧迫部材５は圧迫用孔３の内径Ｄ１よりも大径に形成されて圧入により圧迫用孔３を拡幅する方向に支持具本体４を弾性変形させるもので、例えば圧迫用孔３を真円断面形状に形成した場合には、その内径Ｄ１よりも大径からなる直径を備えた真円断面の棒形状などに形成することが可能である。この場合において、造花１の茎部１ａの基端部に圧迫用孔３に圧入する圧迫部６を形成すれば、同時に装飾を兼ねることができる。
【００１２】
圧迫用孔３や圧迫部材５、あるいは上記圧迫部の形状、大きさは、茎部挿入孔２の形状や配置、支持具本体４の弾性変形能に応じて適宜決定することが可能であるが、圧迫部材５の圧迫用孔３への圧入を容易にするために、圧迫部材５の圧迫用孔３への挿入先端部あるいは圧迫用孔３の被挿入先端部に、圧迫部材５の圧入により圧迫用孔３を拡幅させる分力を生じさせる傾斜面、より具体的には圧入方向に行くに従って漸次圧迫部材５等の内方側に接近する傾斜面を形成することが望ましい。
【００１３】
また、弾性材料からなる支持具本体４が圧迫部材５の圧入によって圧迫用孔３を拡幅する方向に変形することで茎部挿入孔２を圧迫させ、茎部１ａを拘束するこの発明においては、例えば圧迫用孔３を茎部挿入孔２に平行に配置すれば、圧迫用孔３の拡幅変形によって容易に茎部挿入孔２を圧迫することができる。造花や生花１の茎部１ａは一般に真円断面に形成されることから、茎部挿入孔２は、内部での茎部１ａの回転等を可能にし、また、茎部１ａを所望の回転姿勢等に適宜保持できるように、茎部１ａの直径と同じ程度の内径を備えた真円断面、あるいは茎部１ａがほぼ外接する楕円断面等で形成することができる。
【００１４】
以上の花支持具によって造花または生花１の複数本を向きを揃えて保持させて花束にすれば、例えば花支持具を花立てや花瓶に落とし込み、あるいは適宜の器に載置するだけで、造花等１をきれいに飾ることができる。また、比較的軽量な造花１を屋外など風を受ける場所に長期に渡って飾った状態に良好に維持することができる。さらに、器等の形状に応じてバランスを見て造花等１の姿勢を調整したり、いわゆるフラワーアレンジメントを施すこともでき、すなわち、生け花の剣山の代わりとして、フラワーアレンジメントにおいてオアシスと呼ばれるスポンジの代わりとして本発明の花支持具を用いることができる。
【００１５】
また、本発明の他の目的は、
短軸方向寸法Ｌが造花または生花１の茎部１ａの直径Ｄ２と同じ程度で、該茎部１ａの挿入により長軸方向に砂利、接着剤、または粘土７を充填する空隙８が形成されるほぼ楕円断面形状からなる茎部挿入部９が形成された花支持具を提供することにより達成される。
【００１６】
この発明において、花支持具にはほぼ楕円断面形状からなる茎部挿入部９が形成され、茎部１ａを挿入することで、その長軸方向に茎部１ａに接するようにして砂利、接着剤、または粘土７を充填する空隙８が形成される。したがって造花や生花１を装着した後に形成される空隙８に砂利や接着剤、粘土７を充填することでその支持強度を容易に高めることができる。砂利７の充填は、例えば花支持具が落とし込まれた花立てに対し、上記空隙８に進入あるいは差し込むことができる程度の粒径を含む砂利７を詰めれば行うことができ、空隙８に進入した砂利７、あるいは差し込まれた砂利７がくさびのように機能する。
【００１７】
また、茎部挿入部９に挿入される造花や生花１の茎や枝などとしての茎部１ａは、これらの直径Ｄ２と同じ程度の寸法に形成される茎部挿入部９の短軸方向によって所望の姿勢に適宜保持させることができる。これにより砂利等７を充填する際に造花等１の姿勢を仮保持することができる。また、このように短軸方向のみを茎部１ａの周囲に接触、あるいは近接させることで、茎部挿入部９と茎部１ａとの間の摩擦抵抗をより小さくでき、茎部１ａの茎部挿入部９内での回転等をスムーズに行うことができる。
【００１８】
本発明において茎部挿入部９の断面形状を示すほぼ楕円とは、上述したように茎部１ａを対向周縁から挟むようにして所望の姿勢に適宜保持できると同時に、茎部１ａに面した砂利等７の充填スペースとしての空隙８を確保できるものであれば足り、例えば長円、隅角を角取りした長方形を含む。
【００１９】
以上の茎部挿入部９は、造花等１の茎部１ａを差し込むために花支持具に穿孔される茎部挿入孔２の全長に渡って形成することもできるが、空隙８が外部に開放していれば砂利等７の充填は可能なため、その上端にのみ形成しても足りる。この場合、茎部挿入孔２の残余の部分を茎部１ａの直径Ｄ２とほぼ同じ程度にすれば、砂利等７を上述した空隙８に溜めやすくすることができる。
【００２０】
また、この発明の花支持具に上述した発明の圧迫部材５、圧迫用孔３を加えて構成することも可能で、この場合、茎部挿入部９の短軸方向の延長線上などに圧迫用孔３を設けることが望ましい。
【発明の効果】
【００２１】
以上の説明からも明らかなように、本発明によれば、装着後に造花の向きなどを調整して支持することのできる花支持具を提供することができ、花立てなどに入れた上で向きを調整することできれいな花の飾り付けを簡単に行うことができる。
【００２２】
また、このような花支持具に用いる圧迫部材として装飾を兼ねることのできるものを提供することができ、装飾性をより高めることができる。さらに、このような花支持具を利用した花束を提供することができ、花立ての形状等に応じた飾り付けを行うことができる。
【００２３】
加えて、造花の向きを所望の姿勢に適宜保持して装着後に調整することも可能で、特に接着剤等を活用した事後的な支持強度の補強に適した花保持具を提供することができ、簡単に装飾性をより強固に保持しやすくすることができる。
【発明を実施するための最良の形態】
【００２４】
図１（ａ）に本発明の実施の形態を示す。この実施の形態は一般に風通しの良好な場所にある墓前の花立て２０に花１を立てる際に本発明を適用したもので、墓石２１の正面側には、花立て２０が石材からなる花立て基礎２２上に取り付けられる。上記花立て２０は、有底の略筒状に合成樹脂材を成形等して形成される花立て本体２３と、土台２４とを有し、図１（ｂ）に示すように、花立て本体２３の底面から突設される雄ねじ２３ａを土台２４に凹設される雌ねじ２４ａにねじ込むことにより花立て本体２３を土台２４に対して着脱できるようにされる。この土台２４は花立て本体２３と同様に合成樹脂材等により形成され、図示しない接着剤などによって上述した花立て基礎２２上に適宜固定される。
【００２５】
上述した花立て２０は一般に広く流通している標準的なサイズのもので、開放端に行くに従って漸次拡径する花立て穴２３ｂを備える。図１（ｂ）に示すように本発明に係る花支持具Ａは、この花立て穴２３ｂに落とし込まれ、花立て穴２３ｂの底面に載置される。また、花立て穴２３ｂの花支持具Ａの上方には敷石などに用いられるような外観のきれいな砂利７が投入され、装飾性が高められる。
【００２６】
花支持具Ａは、ゴムからなり、図２（ａ）に示すように、外形形状が花立て穴２３ｂの底部の形状よりもひとまわり小さい程度の截頭円錐形状に形成される支持具本体４を備える。花立て穴２３ｂ内への載置状態において、支持具本体４は錐面４ａが花立て穴２３ｂの側壁に対峙し、より小径の面が底面に合わせられ、より大径の面が上方に向けられる。上述した砂利７は上記錐面４ａと花立て穴２３ｂ側壁との間に生じる隙間に進入することができる程度の粒径を含み、図１（ｂ）に示すように花立て穴２３ｂへの投入によって、花立て穴２３ｂ内壁と錐面４ａとの間に生じている隙間に進入し、支持具本体４を花立て穴２３ｂ内で妄りに動かないように固定する。
【００２７】
また、上記支持具本体４には、茎部挿入孔２と圧迫用孔３とが上下に貫通して穿孔される。茎部挿入孔２は、図４（ａ）に示すように支持具本体４の対向する錐面４ａ、４ａ間を万力２５で挟み付け、弾性変形させた状態で穴加工することにより形成される。同図に弾性変形前の外形を二点鎖線で示すように、万力２５による挟み付けによって本来の小径の面、すなわち底面はほとんど圧縮されていないものの、この底面から大径の面、すなわち上面に行くに従って横方向の圧縮量が漸次拡大し、本来の錐面４ａがほぼ垂直面に変形する。この状態でドリル２６による穿孔がなされた支持具本体４は、万力２５から解放されて弾性復帰すると、弾性復帰前の上面においてほぼ真円断面であった茎部挿入孔２をほぼ楕円断面に変形させる。
【００２８】
すなわち、茎部挿入孔２は、図２（ｂ）ないし（ｄ）に示すように、穴加工前後の弾性変形がほとんどない底面において加工穴サイズに合致するほぼ真円断面を維持し、横方向に圧縮、拡張の弾性変形を経た上面において圧縮、拡張される横方向を長軸方向とするほぼ楕円断面形状をなす。このほぼ真円断面とほぼ楕円断面とは支持具本体４の高さ方向に錐面４ａの傾きに従って茎部挿入孔２の断面形状が漸次変化することにより連続し、後述する茎部１ａの挿入によって空隙８を形成する茎部保持部９を構成する。
【００２９】
以上の茎部挿入孔２は、図３に示すように、花立て２０に立てる造花や生花１の茎部１ａが挿入されることによりこれを保持するもので、花立て２０に立てる花１として長期に装飾性を維持できる造花１を用いるこの実施の形態においては、造花１の茎部１ａが挿入され、これを保持しやすいように上述した加工穴サイズ、すなわち茎部挿入孔２のほぼ楕円断面の短軸方向寸法Ｌは、一般に広く流通している造花１の標準的な茎部１ａの直径Ｄ２と同じ程度にされる。また、茎部挿入孔２は、図２（ａ）および（ｂ）、並びに図３（ａ）および（ｂ）に示すように、支持具本体４の上面や底面の中心点を中心とした同心円状に複数配置され、多数本の造花をバランス良く保持できるようにされる。茎部挿入孔２の複数は、上述した万力２５による挟み付けを支持具本体４の周方向に順次繰り返し、穴加工を施すことにより、支持具本体４上面においてほぼ楕円断面をなす各茎部挿入孔２の短軸方向が中心点を向く方向に配置される。
【００３０】
したがって茎部１ａは、図３（ｂ）ないし（ｄ）に示すように、茎部挿入孔２への挿入状態において、上述したように支持具本体４の底面において茎部挿入孔２の内壁に全周に渡ってほぼ接触し、上面において上述した万力２５による支持具本体４の挟み付け方向に直交する方向、すなわち茎部挿入孔２のほぼ楕円断面の短軸方向に位置する対向周縁部でのみほぼ接触し、支持具本体４の高さ方向に茎部挿入孔２との接触面積を漸次増加させる。言い換えれば、このように底面で茎部挿入孔２と茎部１ａとの隙間がなく、上面で隙間があることで、茎部挿入孔２には、茎部１ａの挿入により上方に開放し、また、下方に閉塞する空隙８が形成される。
【００３１】
上述した砂利７は、上記空隙８に入ることのできる程度の粒径を含めて構成されることにより、図３（ｄ）に二点鎖線で示すように空隙８内に充填され、これにより茎部１ａが移動しにくい、すなわち生花に比して軽量であるために風を受けると花支持具Ａから抜けやすくなってしまう造花１が支持具本体４から抜けにくくされる。また、このように造花１が花支持具Ａから抜けてしまう以外に、風を受けて茎部挿入孔２内で茎部１ａが妄りに回転してしまうことも防止でき、茎部１ａの先端部に形成された花部１ｂを墓石２１の正面方向に向けて保持することができる。
【００３２】
また、上述した圧迫用孔３は、以上の砂利７と同じように茎部挿入孔２内に茎部１ａを拘束するためのもので、支持具本体４の上下方向の中心軸を通る位置に貫通して形成される。したがって上述した茎部挿入孔２の複数はこの圧迫用孔３を中心とする同心円状に配置され、圧迫用孔３にそれぞれの短軸方向を向ける。この圧迫用孔３は真円断面形状で、また、長手方向に等断面形状に形成され、その内部には、茎部挿入孔２内で茎部１ａを拘束するための圧迫部材５が挿入される。
【００３３】
圧迫部材５は、図３（ａ）および（３）に示すように、花支持具Ａに造花１を支持させるこの実施の形態において、造花１の一本であり、その茎部１ａの基端部には、基端から離れるに従って漸次拡径する円錐形状からなる圧迫部６が形成される。図３（ｂ）および（ｃ）に示すように、圧迫部６の後端部の直径は圧迫用孔３の内径Ｄ１よりもひとまわり大きく設定され、このため圧迫用孔３への圧入によって圧迫用孔３を拡開する方向に支持具本体４が弾性変形する。
【００３４】
上述したように圧迫用孔３に短軸方向を向ける茎部挿入孔２は、圧迫用孔３を拡開する方向への支持具本体４の弾性変形によって短軸方向を圧迫され、茎部挿入孔２の短軸方向に密着して挿入される茎部１ａは、この圧迫力によって茎部挿入孔２内で挟み付けられて挟持される。したがって圧迫部材５の圧迫用孔３への圧入によって、上述した砂利７と同様に、造花１が風に煽られて花支持具Ａから抜けてしまったり、回転して花部１Ｂが墓石２１の正面以外を向いてしまったりすることを防止することができる。
【００３５】
以上の花支持具Ａによる花立て２０への造花１の飾り付けに際しては、先ず最初に、支持具本体４に圧迫部材５によって造花１の複数本を向きを揃えて固定した花束Ｂを形成することによりなされる。造花１の茎部１ａを一本ずつ支持具本体４の各茎部挿入孔２に挿入した後、圧迫用孔３に圧迫部材５を圧入することにより、束にされた造花１の各々は支持具本体４に所定の姿勢で装着、拘束され、この状態にした上で墓地等まで運搬される。
【００３６】
花立て２０への花束Ｂの飾り付けは、内部のものを取り除いて空にした花立て穴２３ｂに花支持具Ａを落とし込み、花束Ｂの基端部を花立て穴２３ｂに挿入することによって行われる。予め向きを揃えた造花１の花束Ｂを墓石２１の正面に各花部１ｂを向けて花立て穴２３ｂに入れると、支持具本体４が花立て穴２３ｂの底部であまり隙間をとることなく適宜フィットし、造花１の向きなどの調整による花立て２０への飾り付けはこれで完了する。この後、花立て２０に砂利７を投入すると、砂利７が支持具本体４と花立て穴２３ｂ内壁、あるいは造花の茎部１ａとの隙間に充填されて噛み込み、ある程度強い風を受けても造花が花立て２０から抜けてしまったり、墓石２１の正面以外を向いてしまったりすることはない。
【００３７】
また、上述した支持具本体４の花立て穴２３ｂへの落とし込み後に、造花１の向きを調整したいときには、砂利７を花立て穴２３ｂに投入する前に、一旦、圧迫部材５を支持具本体４から引き抜けば良く、これにより造花１を任意の回転姿勢まで容易に回転させることができる。この後、圧迫部材５を支持具本体４に圧入し直し、砂利７を花立て穴２３ｂに投入すれば、造花１を所定の向きで花立て２０に支持させることができる。
【００３８】
以上のように造花１を用いる場合、長期に渡って装飾性を維持できるが、造花１の色が長期の風雨に曝されることよって抜けるなどしたときには、花立て本体２３を土台２４から取り外し、砂利７を花立て穴２３ｂから取り除いた上で、支持具本体４を含む花束Ｂを花立て穴２３ｂから抜き取り、新しい花束Ｂに差し替えればよい。
【００３９】
なお、以上においては茎部挿入孔２に単に茎部１ａを挿入のみする場合を示したが、支持具本体４の底面から茎部１ａの先端部を突出させ、これを支持具本体４の底面に沿って折り曲げて造花１を強固に抜け止めすることも可能である。また、各茎部挿入孔２に茎部１ａを一本のみ挿入する以外に、複数本束ねて挿入することもでき、この場合には束ねられた茎部１ａの複数本の全体の直径が茎部挿入孔２の短軸方向寸法に合わせられる。さらに、以上においては花支持具Ａ、より具体的には支持具本体４を花立て穴２３ｂに載置し、その錐面４ａと花立て穴２３ｂとの間に隙間を生じさせる場合を示したが、支持具本体４を花立て穴２３ｂに圧入させる、すなわち錐面４ａを花立て穴２３ｂの内壁に圧接させる使用方法も可能であり、このための条件を除外するものではではない。
【００４０】
図４（ｂ）に支持具本体４の変形例を示す。なお、以下の変形例等の説明において、上述した実施の形態と同一の構成要素は同一の符号を付して説明を省略する。この変形例において、支持具本体４には、茎部挿入孔２の加工の手間を軽減するために、茎部挿入孔２の複数がそれぞれの長軸方向（または短軸方向）を同一方向に向けて形成され、また、上述した圧迫用孔３が省略される。したがって万力２５によって支持具本体４を一度挟み付けるだけで、全ての茎部挿入孔２を形成することができる。造花１の保持は、茎部挿入孔２の空隙８に上述同様砂利７を充填するほか、使い勝手に応じて接着剤や粘土を充填してなされる。
【００４１】
図４（ｃ）に支持具本体４の他の変形例を示す。この変形例において、茎部挿入孔２は、上述した万力２５による挟み付けを強めるなどすることにより、長軸方向に茎部１ａの二本が挿入できるようにさらに長寸に形成される。茎部挿入孔２は支持具本体４の底面においても楕円形状をなす。この茎部挿入孔２に挿入された各茎部１ａは、茎部挿入孔２の長軸方向の一方の側に空隙８を備え、ここに砂利７が充填されることで姿勢を保持される。また、茎部１ａ同士の接触によって茎部挿入孔２と各茎部１ａとの間に囲まれた部分にも砂利７を適宜充填させることが可能である。
【００４２】
図５に本発明の他の実施の形態を示す。この実施の形態はフラワーアレンジメントのオアシスの代わりに本発明の花支持具Ａを適用したもので、支持具本体４はフラワーアレンジメントに用いられる器２７に収まる程度の四角いブロック形状に形成される。
【００４３】
図５（ａ）に示すように、支持具本体４の上面には茎部挿入孔２および圧迫用孔３を兼ねるほぼ真円断面なる孔の多数が所定のピッチで碁盤の目のように穿孔され、花支持具Ａによる花の保持は、この孔２（３）のいずれかに生花１の茎部１ａを挿入するとともに、このようにして茎部１ａが挿入された孔２（３）に近接する他の孔３（２）に対し、この他の孔３（２）の内径Ｄ１よりも大径のほぼ真円断面からなる圧入部６を備えた圧迫部材５を圧入することによりなされる。図５（ａ）および（ｂ）に示すように、圧迫部材５は花の名前を表示する立て札を兼ねて構成されたり、あるいは家の模型などの装飾物を兼ねて構成される。なお、この場合支持具本体４は吸水性のゴムにより構成することが望ましい。
【図面の簡単な説明】
【００４４】
【図１】本発明の花支持具を墓石の花立てに適用した実施の形態を示す図で、（ａ）は全体斜視図、（ｂ）は花立ての内部を説明する要部断面図である。
【図２】支持具本体を示す図で、（ａ）は斜視図、（ｂ）は平面図、（ｃ）は（ｂ）の２Ｃ-２Ｃ線断面図、（ｄ）は（ｂ）の２Ｄ-２Ｄ線断面図である。
【図３】花束を示す図で、（ａ）は全体斜視図、（ｂ）は茎部挿入孔や圧迫用孔への茎部や圧迫部材の挿入状態を説明する要部横断面図、（ｃ）は（ｂ）の３Ｃ-３Ｃ線断面図、（ｄ）は（ｂ）の３Ｄ-３Ｄ線断面図である。
【図４】支持具本体を説明する図で、（ａ）は製造過程を説明する要部断面図、（ｂ）は支持具本体の変形例を示す平面図、（ｃ）は支持具本体の他の変形例を示す要部拡大平面図である。
【図５】本発明の花支持具をフラワーアレンジメントのオアシスに適用した他の実施の形態を示す図で、（ａ）は全体斜視図、（ｂ）は要部縦断面図である。
【符号の説明】
【００４５】
１    造花または生花
１ａ  茎部
２    茎部挿入孔
３    圧迫用孔
４    支持具本体
５    圧迫部材
６    圧迫部
７    砂利、接着剤、または粘土
８    空隙
９    茎部挿入部
Ｄ１  内径
Ｌ    短軸方向寸法
Ｄ    直径
【図１】
2009268636.tif 000003
【図２】
2009268636.tif 000004
【図３】
2009268636.tif 000005
【図４】
2009268636.tif 000006
【図５】
2009268636.tif 000007